(57)【要約】【課題】基板に起因するアンテナのゲイン特性のロスや波長短縮を抑制する。【解決手段】高周波コイルアンテナ（１）を基板（１１）上に搭載した高周波用コイルアンテナ基板ユニットであって、高周波コイルアンテナ（１）のコイル（１ａ，１ｂ）の直下部分の基板（１１）に貫通穴（１２ａ，１２ｂ）を設ける。【効果】高周波コイルアンテナ（１）のコイル（１ａ，１ｂ）の直下部分が貫通穴（１２ａ，１２ｂ）なので、基板（１１）の誘電体材料が無く、誘電率損や誘電正接の影響を抑制でき、基板（１１）に起因するアンテナのゲイン特性のロスや波長短縮を抑制することが出来る。【選択図】図１
2012195623.tif 000002
【特許請求の範囲】
【請求項１】
高周波コイルアンテナ（１）を基板（１１）上に搭載した高周波用コイルアンテナ基板ユニットであって、前記高周波コイルアンテナ（１）のコイル（１ａ，１ｂ）の直下部分の基板（１１）の誘電体材料を除去したことを特徴とする高周波用コイルアンテナ基板ユニット。
【請求項２】
請求項１に記載の高周波用コイルアンテナ基板ユニットにおいて、前記基板（１１）は、前記高周波コイルアンテナ（１）の搭載面を持つ誘電体材料層（１１ａ）と、前記誘電体材料層（１１ａ）の前記搭載面と反対側の面に密接する金属材料層（１１ｂ）とを有することを特徴とする高周波用コイルアンテナ基板ユニット。
【請求項３】
請求項１または請求項２に記載の高周波用コイルアンテナ基板ユニットにおいて、前記コイル（１ａ，１ｂ）の直下部分の基板（１１）に貫通穴（１２ａ，１２ｂ，１３）を設けたことを特徴とする高周波用コイルアンテナ基板ユニット（１００，２００）。
【請求項４】
請求項３に記載の高周波用コイルアンテナ基板ユニット（１００，２００）において、前記貫通穴（１２ａ，１２ｂ，１３）を塞ぐように導体箔（１４）を設けたことを特徴とする高周波用コイルアンテナ基板ユニット（１０１，２０１）。
【発明の詳細な説明】
【技術分野】
【０００１】
本発明は、高周波用コイルアンテナ基板ユニットに関し、さらに詳しくは、基板に起因するアンテナのゲイン特性のロスや波長短縮を抑制することが出来る高周波用コイルアンテナ基板ユニットに関する。
【背景技術】
【０００２】
従来、高周波コイルアンテナを基板上に搭載した高周波用コイルアンテナ基板ユニットが知られている（例えば、特許文献１，特許文献２参照。）。
【先行技術文献】
【特許文献】
【０００３】
【特許文献１】特開２００７−３０６１３７号公報
【特許文献２】特開２００７−３０６１９８号公報
【発明の概要】
【発明が解決しようとする課題】
【０００４】
上記従来の高周波用コイルアンテナ基板ユニットでは、基板の誘電体材料による誘電率損や誘電正接の影響により、アンテナのゲイン特性のロスや波長短縮を生じる問題点があった。
また、波長短縮には、高周波用コイルアンテナの単体での共振周波数を高めに設計して対応していたが、これはコイルのターン数を少なくしたり，コイル径を小さくしたりする方向であり、磁界および電界が減少する方向であることから、アンテナとしての特性が悪化する問題点があった。
そこで、本発明の目的は、基板に起因するアンテナのゲイン特性のロスや波長短縮を抑制することが出来る高周波用コイルアンテナ基板ユニットを提供することにある。
【課題を解決するための手段】
【０００５】
第１の観点では、本発明は、高周波コイルアンテナ（１）を基板（１１）上に搭載した高周波用コイルアンテナ基板ユニットであって、前記高周波コイルアンテナ（１）のコイル（１ａ，１ｂ）の直下部分の基板（１１）の誘電体材料を除去したことを特徴とする高周波用コイルアンテナ基板ユニットを提供する。
上記第１の観点による高周波用コイルアンテナ基板ユニットでは、高周波コイルアンテナ（１）のコイル（１ａ，１ｂ）の直下部分の基板（１１）の誘電体材料を除去したので、誘電率損や誘電正接の影響を抑制することが出来る。従って、基板に起因するアンテナのゲイン特性のロスや波長短縮を抑制することが出来る。
【０００６】
第２の観点では、本発明は、前記第１の観点による高周波用コイルアンテナ基板ユニットにおいて、前記基板（１１）は、前記高周波コイルアンテナ（１）の搭載面を持つ誘電体材料層（１１ａ）と、前記誘電体材料層（１１ａ）の前記搭載面と反対側の面に密接する金属材料層（１１ｂ）とを有することを特徴とする高周波用コイルアンテナ基板ユニットを提供する。
上記第２の観点による高周波用コイルアンテナ基板ユニットでは、金属材料層（１１ｂ）により、高周波コイルアンテナ（１）の搭載面側での磁界および電界が増加するから、アンテナとしての特性を向上することが出来る。
【０００７】
第３の観点では、本発明は、前記第１または前記第２の観点による高周波用コイルアンテナ基板ユニットにおいて、前記コイル（１ａ，１ｂ）の直下部分の基板（１１）に貫通穴（１２ａ，１２ｂ，１３）を設けたことを特徴とする高周波用コイルアンテナ基板ユニット（１００，２００）を提供する。
上記第３の観点による高周波用コイルアンテナ基板ユニット（１００，２００）では、高周波コイルアンテナ（１）のコイル（１ａ，１ｂ）の直下部分の基板（１１）の誘電体材料が除去されたので、誘電率損や誘電正接の影響を抑制することが出来る。従って、基板に起因するアンテナのゲイン特性のロスや波長短縮を抑制することが出来る。
【０００８】
第４の観点では、本発明は、前記第３の観点による高周波用コイルアンテナ基板ユニット（１００，２００）において、前記貫通穴（１２ａ，１２ｂ，１３）を塞ぐように導体箔（１４）を設けたことを特徴とする高周波用コイルアンテナ基板ユニット（１０１，２０１）を提供する。
上記第４の観点による高周波用コイルアンテナ基板ユニットでは、導体箔（１４）により、高周波コイルアンテナ（１）の搭載面側での磁界および電界が増加するから、アンテナとしての特性を向上することが出来る。
【発明の効果】
【０００９】
本発明の高周波用コイルアンテナ基板ユニットによれば、高周波コイルアンテナのコイルの直下部分の基板の誘電体材料を除去したので、誘電率損や誘電正接の影響を抑制でき、基板に起因するアンテナのゲイン特性のロスや波長短縮を抑制することが出来る。
【図面の簡単な説明】
【００１０】
【図１】実施例１に係る高周波用コイルアンテナ基板ユニットを示す正面図である。
【図２】実施例１に係る高周波用コイルアンテナ基板ユニットを示す背面図である。
【図３】実施例１に係る高周波用コイルアンテナ基板ユニットを示す右側面図である。
【図４】実施例１に係る高周波用コイルアンテナ基板ユニットにおけるアンテナのゲイン特性を示すグラフである。
【図５】実施例２に係る高周波用コイルアンテナ基板ユニットを示す右側面図である。
【図６】実施例２に係る高周波用コイルアンテナ基板ユニットにおけるアンテナのゲイン特性を示すグラフである。
【図７】実施例３に係る高周波用コイルアンテナ基板ユニットを示す正面図である。
【図８】実施例３に係る高周波用コイルアンテナ基板ユニットを示す背面図である。
【図９】実施例３に係る高周波用コイルアンテナ基板ユニットを示す右側面図である。
【図１０】実施例３に係る高周波用コイルアンテナ基板ユニットにおけるアンテナのゲイン特性を示すグラフである。
【図１１】実施例４に係る高周波用コイルアンテナ基板ユニットを示す右側面図である。
【図１２】実施例４に係る高周波用コイルアンテナ基板ユニットにおけるアンテナのゲイン特性を示すグラフである。
【発明を実施するための形態】
【００１１】
以下、図に示す実施の形態により本発明をさらに詳細に説明する。なお、これにより本発明が限定されるものではない。
【実施例】
【００１２】
−実施例１−
図１は、実施例１に係る高周波用コイルアンテナ基板ユニット１００を示す正面図である。図２は、同背面図である。図３は、同右側面図である。
この高周波用コイルアンテナ基板ユニット１００は、銅線をソレノイド状に巻回したコイル１ａ，１ｂを有するコ字形コイルをボビン２に固定してなる高周波用コイルアンテナ１と、その高周波用コイルアンテナ１を表面に搭載する基板１１とからなる。
【００１３】
基板１１の表面には、配線パターンが形成されると共に、インダクタンスやキャパシタンスのチップ部品や信号接続用レセプタクルも搭載されている。
【００１４】
コイル１ａ，１ｂの直下部分の基板１１には、貫通穴１２ａ，１２ｂが設けられている。なお、コイル１ａ，１ｂはボビン２のコイル収容空間に収容されており、コイル１ａ，１ｂの直下部分にはボビン２の材料（例えば熱可塑性樹脂に無機フィラーを配合した材料）はない。
【００１５】
図３に示すように、基板１１は、誘電体材料（例えばガラスエポキシ）層１１ａと、金属材料（例えば銅）層１１ｂと、誘電体材料（例えば絶縁塗料）層１１ｃとの三層構造になっている。金属材料層１１ｂがあるのは、インピーダンス整合のためである。
【００１６】
図４の実線は、高周波用コイルアンテナ基板ユニット１００におけるアンテナのゲイン特性である。
図４の破線は、高周波用コイルアンテナ基板ユニット１００の貫通穴１２ａ，１２ｂを設けず且つコイルのターン数を少なくして共振周波数を高周波用コイルアンテナ基板ユニット１００に合わせた場合におけるアンテナのゲイン特性である。
貫通穴１２ａ，１２ｂを設けたことにより、アンテナのゲイン特性を改善することが出来た。
【００１７】
実施例１の高周波用コイルアンテナ基板ユニット１００によれば、コイル１ａ，１ｂの直下部分が貫通穴１２ａ，１２ｂになっており、誘電体材料が無いので、誘電率損や誘電正接の影響を抑制でき、基板１１に起因するアンテナのゲイン特性のロスや波長短縮を抑制することが出来る。
【００１８】
−実施例２−
図５は、実施例２に係る高周波用コイルアンテナ基板ユニット１０１を示す右側面図である。
この高周波用コイルアンテナ基板ユニット１０１は、実施例１の高周波用コイルアンテナ基板ユニット１００の裏面に導体（例えばアルミニウム）箔１４を貼り付けたものである。
【００１９】
図６の実線は、高周波用コイルアンテナ基板ユニット１０１におけるアンテナのゲイン特性である。
図６の破線は、高周波用コイルアンテナ基板ユニット１００の貫通穴１２ａ，１２ｂを設けず且つコイルのターン数を少なくして共振周波数を高周波用コイルアンテナ基板ユニット１００に合わせた場合におけるアンテナのゲイン特性である。
アンテナのゲイン特性は、実施例１の高周波用コイルアンテナ基板ユニット１００とほぼ同じであった。
【００２０】
−実施例３−
図７は、実施例３に係る高周波用コイルアンテナ基板ユニット２００を示す正面図である。図８は、同背面図である。図９は、同右側面図である。
この高周波用コイルアンテナ基板ユニット２００は、実施例１の高周波用コイルアンテナ基板ユニット１００の貫通穴１２ａ，１２ｂの代わりに一つの貫通穴１３を設けたものである。
【００２１】
図１０の実線は、高周波用コイルアンテナ基板ユニット２００におけるアンテナのゲイン特性である。
図１０の破線は、高周波用コイルアンテナ基板ユニット２００の貫通穴１３を設けず且つコイルのターン数を少なくして共振周波数を高周波用コイルアンテナ基板ユニット２００に合わせた場合におけるアンテナのゲイン特性である。
貫通穴１３を設けたことにより、アンテナのゲイン特性を改善することが出来た。
【００２２】
実施例３の高周波用コイルアンテナ基板ユニット２００によれば、コイル１ａ，１ｂの直下部分が貫通穴１３になっており、誘電体材料が無いので、誘電率損や誘電正接の影響を抑制でき、基板１１に起因するアンテナのゲイン特性のロスや波長短縮を抑制することが出来る。
【００２３】
−実施例４−
図１１は、実施例４に係る高周波用コイルアンテナ基板ユニット２０１を示す右側面図である。
この高周波用コイルアンテナ基板ユニット２０１は、実施例３の高周波用コイルアンテナ基板ユニット２００の裏面に導体箔１４を貼り付けたものである。
【００２４】
図１２の実線は、高周波用コイルアンテナ基板ユニット２０１におけるアンテナのゲイン特性である。
図１２の破線は、高周波用コイルアンテナ基板ユニット２００の貫通穴１３を設けず且つコイルのターン数を少なくして共振周波数を高周波用コイルアンテナ基板ユニット２００に合わせた場合におけるアンテナのゲイン特性である。
アンテナのゲイン特性は、実施例３の高周波用コイルアンテナ基板ユニット２００よりも向上した。
【産業上の利用可能性】
【００２５】
本発明の高周波用コイルアンテナ基板ユニットは、例えばＧＨｚ帯のアンテナコイルとして利用することが出来る。
【符号の説明】
【００２６】
１                                  高周波用コイルアンテナ
１ａ，１ｂ                          コイル
２                                  ボビン
１１                                基板
１１ａ，１１ｃ                      誘電体材料層
１１ｂ                              金属層
１２ａ，１２ｂ，１３                貫通穴
１４                                導体箔
１００，１０１，２００，２０１      高周波用コイルアンテナ基板ユニット
【図１】
2012195623.tif 000003
【図２】
2012195623.tif 000004
【図３】
2012195623.tif 000005
【図４】
2012195623.tif 000006
【図５】
2012195623.tif 000007
【図６】
2012195623.tif 000008
【図７】
2012195623.tif 000009
【図８】
2012195623.tif 000010
【図９】
2012195623.tif 000011
【図１０】
2012195623.tif 000012
【図１１】
2012195623.tif 000013
【図１２】
2012195623.tif 000014